(57)【特許請求の範囲】
【請求項１】
機器本体に対して回動可能な操作部材と、
一対の腕部と座巻き部とを有し、前記操作部材が回動位置から初期位置へ戻るように当該操作部材を付勢するバネと、
前記操作部材に固定され、前記操作部材と一体となって回動可能な固定部材と、
前記機器本体に固定され、前記操作部材と前記固定部材との間に配置されるベース部材と、を有していて、
前記固定部材は、前記操作部材と一体となって回動する際の回動中心を含む位置に前記座巻き部よりも径の大きい穴部を有し、
前記バネは、前記座巻き部が前記穴部の内部で前記回動中心を囲むように前記ベース部材に保持され、
前記ベース部材は、前記穴部の内部に延出する第１の延出部と前記第１の延出部よりも前記穴部の外周側に配置された第２の延出部とを有し、
前記一対の腕部は、前記第２の延出部を挟む位置に配置され、
前記座巻き部は、前記第１の延出部と前記第２の延出部との間を通り、前記一対の腕部の間隔が広くなると内径が縮まり、
前記第１の延出部の先端は前記穴部の外周側に突出し、前記第２の延出部の先端は前記穴部の中心側に突出していることを特徴とする電子機器。
【請求項２】
前記操作部材は、前記固定部材の方向に延出し前記固定部材と固定される固定部を有し、
前記バネは、前記一対の腕部により前記固定部を挟み込むことを特徴とする請求項１に記載の電子機器。
【発明の詳細な説明】
【技術分野】
【０００１】
本発明は、機器本体に対して回動可能な操作部材を有する電子機器に関するものである。
【背景技術】
【０００２】
従来、デジタルスチルカメラや、ビデオカメラのような撮像装置には、撮影光学系の一部のレンズを光軸上で移動させて変倍を行う光学ズーム機能や、撮像素子からの画像信号を電子的に制御して画面の拡大表示を行うようにした電子ズーム機能を有するものがある。
【０００３】
また、こうした撮像装置には、光学及び電子ズーム機能を使用する際、機器本体に対して回動可能な操作部材、例えばズームレバーを回動させることで、光学及び電子ズーム操作を行うものがある。ズームレバーを回動させてズーム操作を行う構成は、ズーム倍率を広角側へ変更するときと望遠側へ変更するときとでそれぞれ別のボタンを操作する構成よりも、画像表示部などで被写体を確認しながらでも簡単にズーム操作を行えるため広く用いられている。
【０００４】
このようなズームレバーは、操作されていない時は初期位置（中立位置）に保持され、ユーザが初期位置から一方向に操作すると、ズーム倍率を広角側へ変更することができ、初期位置から他方向に操作すると、ズーム倍率を望遠側に変更することができる。ユーザがズームレバーへの操作を停止してズームレバーが回動位置から初期位置に戻るとズーム倍率が変更されなくなりそのときのズーム倍率が維持される。以上のような動作によりズーム倍率が変更されるので、ユーザの意図を正確に反映させるためにズームレバーの操作感はメリハリが求められる。そこで、従来からズームレバーのような機器本体に対して回動可能な操作部材には作動荷重および戻し荷重の管理が容易なコイルバネのバネ荷重を利用することが多い。
【０００５】
例えば、特許文献１では、コイルバネをデジタルカメラの上面から見てズームレバーの投影面外に配置し、固定するためにベース部材に雌ネジを設けたボスを用意し、ベース部材とネジのフランジ部でコイルバネを挟持することにより固定する構成となっている。
【０００６】
また、特許文献２では、ズームレバーとこのズームレバーと一体に回動するズームホルダにコイルバネを取り付けることで、コイルバネをデジタルカメラの上面から見てズームレバーの投影面内に配置する構成をなっている。
【先行技術文献】
【特許文献】
【０００７】
【特許文献１】特開２００８−２０３６３２号公報
【特許文献２】特開２００６−１９６２１２号公報
【発明の概要】
【発明が解決しようとする課題】
【０００８】
しかしながら、上述の特許文献１に開示された従来技術では、デジタルカメラの上面から見てズームレバー投影面外にコイルバネを配置し、コイルの座巻き部をベース部材とビスのフランジ部によって挟持することによって固定する必要がある。そのため、ベース部材にはズームレバーの投影面外にコイルバネを配置するスペースが必要となりデジタルカメラの小型化の妨げになる。
【０００９】
また、上述の特許文献２に開示された従来技術では、ズームレバーと一体で回動するズームホルダにコイルバネを取り付けるため、コイルバネの座巻き部を挟持し固定する廂形状をズームホルダに設ける必要がある。この構成では、コイルバネの座巻き数分の厚みとズームホルダに設けた廂形状の厚み分、撮像装置のズームレバー回転軸方向（以降、縦方向）のサイズが増加するため、デジタルカメラの小型化の妨げになる。
【００１０】
そこで、本発明は、電子機器の大型化を抑えつつ機器本体に対して回動可能な操作部材をコイルバネで回動位置から初期位置へ戻るように付勢することができるようにすることを目的とする。
【課題を解決するための手段】
【００１１】
上記目的を達成するために本発明にかかる電子機器は、機器本体に対して回動可能な操作部材と、一対の腕部と座巻き部とを有し、前記操作部材が回動位置から初期位置へ戻るように当該操作部材を付勢するバネと、前記操作部材に固定され、前記操作部材と一体となって回動可能な固定部材と、前記機器本体に固定され、前記操作部材と前記固定部材との間に配置されるベース部材と、を有していて、前記固定部材は、前記操作部材と一体となって回動する際の回動中心を含む位置に前記座巻き部よりも径の大きい穴部を有し、前記バネは、前記座巻き部が前記穴部の内部で前記回動中心を囲むように前記ベース部材に保持されることを特徴とする。
【発明の効果】
【００１２】
本発明によれば、電子機器の大型化を抑えつつ機器本体に対して回動可能な操作部材をコイルバネで回動位置から初期位置へ戻るように付勢することができる。
【図面の簡単な説明】
【００１３】
【図１】本発明に係る撮像装置の全体図である。
【図２】ズームレバーユニット４を上面側から見た展開図である。
【図３】ズームレバーユニット４を下面側から見た展開図である。
【図４】上面ベース部材４３にコイルバネ１２を組み付けた状態を下面側から見た図である。
【図５】上面ベース部材４３にズームレバー４０を組み付けた状態を示す図である。
【図６】上面ベース部材４３にズームレバー固定部材４４とブラシ４５を組み付けた状態を示す図である。
【図７】上面ベース部材４３の完成状態を示す図である。
【発明を実施するための形態】
【００１４】
以下に、本発明の好ましい実施の形態を、添付の図面に基づいて詳細に説明する。
【００１５】
図１は、本発明に係る電子機器である撮像装置の全体図であり、図１（ａ）は撮像装置を正面側（被写体側）から見た斜視図、図１（ｂ）は撮像装置を背面側（撮影者側）から見た斜視図、図１（ｃ）は撮像装置を正面側から見た展開斜視図である。
【００１６】
撮像装置本体１には、被写体像を撮像素子に結像するレンズ鏡筒２が固定されている。レンズ鏡筒２は沈胴式のズームレンズで非使用時は撮像装置本体１の中に沈胴している。
【００１７】
レンズ鏡筒２の後方（撮影者側）には、光学像を光電変換して画像デ−タを生成するＣＣＤやＣＭＯＳイメ−ジセンサ等の撮像素子（不図示）が実装されている。また、撮像装置本体１には、撮像素子（不図示）で生成した画像デ−タをデジタル情報に変換する処理回路を載せた主基板（不図示）や補助基板（不図示）が実装されている。
【００１８】
主基板には、カードＩ／Ｆ等を含む記録媒体スロットや撮像部、画像処理部、システム制御部、シリアルＩ／Ｆ、シリアル接続端子等が実装されている。補助基板には、電源供給切換回路、ＤＣ／ＤＣコンバータ、操作ＳＷ、ビデオＩ／Ｆ、ビデオ接続端子、外部電源入力端子等が実装されている。
【００１９】
撮像装置本体１の正面側から見て右上方には、撮影時に被写体の明るさが足りない時にストロボ光を照射するストロボ発光窓３が設けられている。
【００２０】
撮像装置本体１の中央上方には、被写体像を確認することができる光学式ファインダ２１、自動合焦の精度を向上させる時に補助光を照射するＡＦ補助光窓５と撮像装置本体１に内蔵したマイクに音声を取り込むマイク穴６が設けられている。
【００２１】
撮像装置本体１の上面には、レリーズボタン４１が設けられている。レリーズボタン４１は２段階の押圧操作が可能となっている。撮影者がレリーズボタン４１に１段階の押圧操作（半押し操作）をすると、撮影準備動作（測光動作や測距動作等）が開始される。撮影者がレリーズボタン４１に２段目の押圧操作（全押し操作）をすると、撮影動作が開始されて被写体を撮影し、記録媒体スロットに装着した記録媒体に被写体像の画像デ−タを記録する。レリーズボタン４１の外周には、撮像装置本体１に対して回動可能な操作部材であるズームレバー４０が取り付けられている。このズームレバー４０を撮像装置本体１の上面から見て時計周りに回動させると、光学及び電子ズームのズーム倍率が望遠側（が画角が狭くなる方向）に変更され、反時計周りに回転させるとズーム倍率が広角側（画角が広がる方向）に変更される。ズームレバー４０の横には、電源ボタン４２が設けられている。
【００２２】
撮像装置本体１の下方には、電池蓋７があり、電源となる主電池と撮影された被写体像を記録する記録媒体を収納する電池室１４を開閉可能としている。
【００２３】
撮像装置本体１の正面側から見て左側面には、電源や信号の入出力用ジャック（不図示）が設けられジャック保護用のカバー部材８で覆われている。カバー部材８は開閉可能であって、開くことで入出力用ジャックへの各種ケーブル類の抜き差しが可能となる。
【００２４】
撮像装置本体１背面には、液晶や有機ＥＬなどを用いた表示部９が設けられている。表示部９は撮像する被写体像の確認や、撮像された画像の再生表示に用いられる。表示部９の横には、複数の操作ボタン群１１が設けられている。複数の操作ボタン群１１は、例えば撮影条件の変更、表示部９の表示形態の変更、再生画面への切換えといった、機能を指示する際に利用する。
【００２５】
次に、図１（ｃ）、図２及び図３を用いて、撮像装置本体１のズームレバーユニット４について説明する。図２はズームレバーユニット４を上面側から見た展開図、図３はズームレバーユニット４を下面側から見た展開図である。
【００２６】
ズームレバーユニット４は、レリーズボタン４１、ズームレバー４０、電源ボタン４２等の操作部材を組み付けた上面ベース部材４３とその直下に配置された操作基板１０を主要な構成としている。
【００２７】
操作基板１０は、操作入力を受け付けるタクトスイッチ１０１、シャッタースイッチ１０２などの電気部品が実装配置されている。操作基板１０には、ブラシ４５に短絡させるためのパターンを露出させたパターン露出部１０３が配設されている。操作基板１０は主基板にコネクタを介して接続されていて、操作基板１０で受けた入力信号を主基板のシステム制御部へ信号を送り、ズームレバーユニット４への操作を撮像装置の制御に反映させる。操作基板１０の固定は、電池室１４から突出された位置決めピン１４ａへ操作基板１０の穴部１０ａを軽圧入させることで行う。
【００２８】
レリーズボタン４１は上面に円盤状のキートップ４１ｃが有り、キートップ４１ｃの中心から下方に軸４１ｂが伸びている。また、軸４１ｂを挟むようにフック４１ａが一対伸びており、フック４１ａの先端に軸４１ｂの方向に伸びた爪４１ｄが設けてある。
【００２９】
ズームレバー４０の上面には２段の中空部が存在し、上側の大きな中空部４０ｃにはレリーズボタン４１のキートップ４１ｃが入り込む。下側の小さな中空部４０ｄにはレリーズボタン４１を上方向に付勢する圧縮バネ１３が収納される。中空部４０ｄの中心にレリーズボタン４１の軸４１ｂを通す穴４０ｅが設けてある。
【００３０】
ズームレバー４０の下面には中空部４０ｄより少し大きい回転軸４０ａが設けてある。そして中空部４０ｄと回転軸４０ａの壁を貫通する１対のＤ型の穴４０ｆが設けてある。
【００３１】
そしてズームレバー４０のＤ型穴４０ｆの下側端にレリーズボタン４１のフックの爪４１ｄが引掛るようになっている。
【００３２】
ズームレバー４０の回転軸４０ａ外側には、軸４０ｂとコイルバネの腕部１２ｂを取り付けるためのコイルバネ取付軸４０ｇとがズームレバー４０の周方向にほぼ等間隔に設けられている。軸４０ｂとコイルバネ取付軸４０ｇの先端にはズームレバー固定部材４４の穴に嵌合後熱カシメして潰すカシメ用の円錐部４０ｂａ、４０ｇａが設けられている。軸４０ｂの根元には上面ベース部材４３の穴に嵌合する嵌合部４０ｂｂが設けられている。また、コイルバネ取付軸４０ｇの根元には、コイルバネの腕部１２ｂに挟み込まれる嵌合部４０ｇｂが設けられている。
【００３３】
嵌合部４０ｇｂには、コイルバネの腕部１２ｂをズームレバー固定部材４４と挟み込んで保持するための挟持用突起４０ｇｃが嵌合部４０ｇｂの両脇に形成されている。この挟持用突起４０ｇｃは、ズームレバー４０が初期位置に戻る際に、コイルバネの腕部１２ｂが元の位置に戻るための誘い込みテーパ形状が形成されている。
【００３４】
ズームレバー４０の小さな中空部４０ｄに圧縮バネ１１を入れ、その上からレリーズボタン４１を組み付ける。レリーズボタン４１の軸４１ｂをズームレバー４０の穴４０ｅに入れ、フック４１ａをＤ型の穴４０ｆにあわせて押し込むように組み込む。するとフック４１ａが弾性変形し爪４１ｄが入ってしまうとＤ型の穴４０ｆの方がフック４１ａより大きいので、ズームレバー４０に対しレリーズボタン４１は所定のストロークだけ軸方向に移動可能となる。レリーズボタン４１は、圧縮バネ１１でレリーズボタン４１を上方向に付勢する力を受け、フックの爪４１ｄでズームレバー４０に抜け止めされる構成となっている。従ってレリーズボタン４１はズームレバー４０と一体に回転可能で、ズームレバー４０に対してズームレバー４０の回転軸方向に上下可動となっている。レリーズボタン４１は、レリーズボタン４１が押された後、指を離すと圧縮バネ１１の力で、上方向の初期位置に自動復帰する。
【００３５】
コイルバネ１２は、ズームレバー４０の作動荷重および戻し荷重を与え、ズームレバー４０が回動位置から初期位置へ戻るように付勢するバネで、ピアノ線やステンレスの線材から出来ている。このコイルバネ１２には、上面ベース部材４３の下面に設けた内周規制軸４３ｃに差し込む座巻き部１２ａとズームレバー４０に設けたコイルバネ取付軸４０ｇを挟み込む一対の腕部１２ｂがある。
【００３６】
上面ベース部材４３には、ズームレバー４０の下側方向に延出した回転軸４０ａが挿入出来るように貫通穴４３ａが設けられている。なお、貫通穴４３ａはズームレバー４０の回動中心に位置する穴であり、回転軸４０ａと回転摺動嵌合されている。また、上面ベース部材４３には、前述したズームレバー４０から延出した軸４０ｂとコイルバネ取付軸４０ｇが挿入できるように複数（３箇所）の扇形状の貫通穴４３ｂ、４３ｇが設けられている。この扇形状の貫通穴４３ｂと２箇所の軸４０ｂの嵌合部４０ｂｂとでズームレバー４０の回動範囲を制限するストッパを構成する。
【００３７】
上面ベース部材４３の下面（ズームレバー固定部材４４の方向）には、貫通穴４３ａの円周上にリブ形状が設けられており、これがコイルバネの座巻き部１２ａの内周を規制するための中空の内周規制軸４３ｃ（第１の延出部）となっている。
【００３８】
この中空の内周規制軸４３ｃには、コイルバネの座巻き部１２ａをズームレバー４０の回転軸方向の移動を規制するための廂部４３ｃａが２箇所設けられている。また、コイルバネの座巻き部１２ａの外周を規制するための外周規制リブ４３ｄ、４３ｅ（第２の延出部）が設けられている。外周規制リブ４３ｅには、コイルバネの腕部１２ｂを引掛けるための嵌合部４３ｅｂと、コイルバネの座巻き部１２ａをズームレバー４０の回転軸方向の移動を規制するための廂部４３ｅａが設けられている。
【００３９】
また、上面ベース部材４３の下面には、電池室に設けた位置決めピン１４ａが入る位置決め穴４３ｆ、ズームレバーユニット４を電池室に設けた突起形状（不図示）に係止するための腕部４３ｈが出ている。その他、電源ボタン４２のキートップ４２ａから延びたバネ部４２ｂの先端にある固定接着部４２ｃを差し込む軸４３ｉが出ている。
【００４０】
ズームレバー固定部材４４は、コイルバネの座巻き部１２ａの径より大きい穴部４４ａが形成されたリング状の部材であり、ズームレバー４０の軸４０ｂが入る穴４４ｂ（２箇所）を有している。また、このズームレバー固定部材４４の円周上の一部には、門型状に形成された梁部４４ｃが設けられている。この梁部４４ｃは、ズームレバー４０に組み付けられたコイルバネの腕部１２ｂを挟み込むためのもので、ズームレバー４０のコイルバネ取付軸４０ｇとリブ４０ｇｄが入る穴４４ｃａを有している。ズームレバー４０の軸４０ｂとコイルバネ取付軸４０ｇが、それぞれズームレバー固定部材４４に設けた穴４４ｂと４４ｃａを通りズームレバー固定部材４４に熱加締めにより締結される。このような構成とすることで、ズームレバー４０とズームレバー固定部材４４を固定するとともに、ズームレバー固定部材４４の梁部４４ｃによりコイルバネの腕部１２ｂの抜け止めも兼ねている。さらに、ズームレバー固定部材４４にはブラシ４５を位置決めするための２本の軸４４ｄが設けてある。この２本の軸先端にはブラシ４５の貫通穴４５ａに嵌合後熱カシメして潰すカシメ用の円錐部４４ｄａが設けられている。
【００４１】
ブラシ４５は導電性部材から出来ている。ブラシ４５には、ズームレバー固定部材４４の軸４４ｄが嵌合する貫通穴４５ａを有している。ズームレバー固定部材４４に設けた軸４４ｄが、それぞれブラシ４５に設けた貫通穴４５ａを通り、ズームレバー固定部材４４に熱加締めすることによりブラシ４５はズームレバー固定部材４４に締結される。なお、ズームレバー固定部材４４は樹脂部材で出来ているため、ズームレバー固定部材４４とブラシ４５は電気的には接続されていない。
【００４２】
ブラシ４５は操作基板１０のパターン露出部１０３に弾性的に接触する腕部４５ｂを設けている。ブラシ４５はズームレバー４０と一体的に回動し、図中のＲ（初期位置）、Ｓ（時計方向に回動させた時）、Ｔ（反時計方向に回動させた時）の位置に移動可能である。図中のＲ、Ｓ、Ｔの位置に移動することでそれぞれのパターンを短絡させることが可能である。
【００４３】
次に、図４、図５、図６を用いて、上面ベース部材４３の組立について詳細に説明する。
【００４４】
まず、上面ベース部材４３の下面に設けた中空の内周規制軸４３ｃにコイルバネの座巻き部１２ａを取りつける。この時、コイルバネの腕部１２ｂの一方を上面ベース部材４３の外周規制リブ４３ｅに設けた嵌合部４３ｅｂに引掛け、かつ、外周規制リブ４３ｅに設けた廂部４３ｅａに挟持されるように組み付ける。この状態では、コイルバネの座巻き部１２ａは、上面ベース部材４３の下面に設けた３箇所の廂部４３ｃａ、４３ｅａのうち、廂部４３ｅａの１箇所に挟持される状態になっている。
【００４５】
そして、コイルバネの腕部１２ｂの他方を矢印Ｘの方向に移動させて、嵌合部４３ｅｂを挟み込んで組み付ける。この時、コイルバネ１２はチャージされるとともに、座巻き部１２ａが圧縮され内径が縮まる。したがって、コイルバネの腕部１２ｂにはチャージ前の状態に戻ろうとする回転方向の付勢力が発生し、座巻き部１２ａが圧縮され内径が縮まることで，更に２箇所の廂部４３ｃａにも挟持される。このようにして上面ベース部材４３からコイルバネ１２が脱落しないように構成されている。また、コイルバネの座巻き部１２ａはズームレバー４０が操作されることで、更にチャージされ内径が縮まるが、その状態においても上面ベース部材４３の内周規制軸４３ｃと干渉しないように、適度なクリアランスを確保してある。以上のように、コイルバネの座巻き部１２ａは、内周規制軸４３ｃと外周規制リブ４３ｅとの間を通る。
【００４６】
次に、上面ベース部材４３にズームレバー４０を組み付けた状態を図５を用いて説明する。図５（ａ）は、ズームレバー４０の下側方向に延出した２本の軸４０ｂとコイルバネ取付軸４０ｇを上面ベース部材４３の扇形状の貫通穴４３ｂと４３ｇに差し込んだ状態を上面ベース部材４３の下面側から見た図である。図５（ｂ）はコイルバネ取付軸４０ｇ近傍の断面詳細図を示したものである。
【００４７】
図５（ａ）に示した状態では、コイルバネの腕部１２ｂは、上面ベース部材４３に設けた嵌合部４３ｅｂとズームレバー４０に設けた嵌合部４０ｇｂを挟み込んで、挟持用突起４０ｇｃに乗った状態になる。このとき、コイルバネ取付軸４０ｇの両脇にリブ４０ｇｄがあることにより、ズームレバー固定部材４４をあてがう際に、嵌合部４０ｇｂとズームレバー固定部材４４との当接面にコイルバネの腕部１２ｂが矢印Ｙの方向に移動して乗り上げることを防いでいる。このように、コイルバネの腕部１２ｂが当接面に乗り上がらないようにして、上面ベース部材４３を挟み込むように下側からズームレバー固定部材４４をあてがう。
【００４８】
ズームレバー固定部材４４の穴４４ｂと４４ｃａに、それぞれ軸４０ｂとコイルバネ取付軸４０ｇの先端を差し込み、カシメ用の円錐部４０ｂａと４０ｇａを潰してズームレバー４０とズームレバー固定部材４４を一体化する。このとき、コイルバネの腕部１２ｂは、ズームレバー４０に設けた挟持部とズームレバー固定部材４４の梁部４４ｃによって挟持される。
【００４９】
上面ベース部材４３にズームレバー４０とズームレバー固定部材４４を取りつけた後にブラシ４５を取りつける。ブラシの貫通穴４５ａに、ズームレバー固定部材４４の軸４４ｄの先端を差し込み、カシメ用の円錐部４４ｄａを潰してズームレバー固定部材４４とブラシ４５を一体化する。
【００５０】
この状態が図６に示した状態であり、上面ベース部材４３はズームレバー４０とズームレバー固定部材４４との間に配置される。また、ズームレバー固定部材４４は、ズームレバー４０に固定されていて、ズームレバー４０と一体となって回動可能である。このとき、ズームレバー４０からズームレバー固定部材４４の方向に延出されたコイルバネ取付軸４０ｇが固定部としてズームレバー固定部材４４に固定される。
【００５１】
また、内周規制軸４３ｃと外周規制リブ４３ｅは、ズームレバー固定部材４４の穴部４４ａの内部に延出し、内周規制軸４３ｃの廂部４３ｃａは穴部４４ａの外周側に向いていて、外周規制リブ４３ｅの廂部４３ｅａは穴部４４ａの中心側に向いている。すなわち、内周規制軸４３ｃの先端は穴部４４ａの外周側に突出し、外周規制リブ４３ｅの先端は穴部４４ａの中心側に突出する。また、内周規制軸４３ｃは外周規制リブ４３ｅよりも穴部４４ａの中心側に配置される。
【００５２】
完成したズームレバーユニット４は、電池室１４から延出した位置決めピン１４ａ（図１ｃ参照）に位置決め穴４３ｆを差し込むように、ズームレバー４０の回転軸方向から組み付ける。そして、電池室１４に設けた突起形状（不図示）と上面ベース部材４３に設けた腕部４３ｈを係止することで固定される。このように、操作基板１０とズームレバーユニット４は共に電池室１４に設けた位置決めピン１４ａで位置決めされるので、各接続部のズレが起きにくくなるような構成にしている。このようにズームレバーユニット４が固定されることで、上面ベース部材４３は撮像装置本体１に固定される。
【００５３】
次に、図７を用いてズームレバーユニット４の縦方向のサイズ（厚み）について詳細に説明する。図７（ｂ）に示すように、コイルバネの座巻き部１２ａは上面ベース部材４３に設けられた内周規制軸４３ｃと外周規制リブ４３ｅによりコイルバネ１２の径方向の移動が規制され、廂部４３ｃａ、４３ｅａにより縦方向の移動が規制されて保持されている。またコイルバネの腕部１２ｂはズームレバー固定部材４４の梁部４４ｃにより覆われることで、直下に配置されている操作基板１０を傷つけない構成となっている。
【００５４】
ズームレバー固定部材４４には、回動中心を含む位置にコイルバネ１２の座巻き部よりも径が大きい穴部４４ａが設けられているため、コイルバネの座巻き部１２ｂとズームレバー固定部材４４とを縦方向にずらさずに配置することが可能になっている。このように、コイルバネの座巻き部１２ｂをズームレバー固定部材４４の穴部４４ａの内部でズームレバー固定部材４４の回動中心を囲むように配置することで、ズームレバーユニット４の縦方向のサイズを薄型化することができる。
【００５５】
また、廂部４３ｃａと４３ｅａは、上面ベース部材４３に形成されているものなので、ズームレバー４０の操作がされた際にも可動することがなく、直下に配置されている操作基板１０に対して必要以上の縦方向のクリアランスを設ける必要がない。むしろ、公差を考慮して廂部４３ｃａと４３ｅａと操作基板１０の縦方向のクリアランスを詰めることによって、操作基板１０の浮き押えとすることが可能である。
【００５６】
以上のような構成により、撮像装置の大型化を抑えつつ撮像装置本体に対して回動可能なズームレバーをコイルバネで回動方向に付勢することができる。
【００５７】
なお、本実施形態では、撮像装置におけるズーム操作に適用した場合を説明したが、その他の機能の操作に適用しても構わない。例えば、記録媒体に記録された複数の画像のうちの１つを不図示の液晶表示装置に表示させる再生モードにおいて、表示させる画像を次の画像に変更する画像送り操作の速度を変更させる場合に適用しても構わない。
【００５８】
また、上述した画像送り操作のような、撮像装置以外の電子機器でも実行可能な機能にも適用可能であるため、機器本体に対して回動可能な操作部材をコイルバネで回動位置から初期位置へ戻るように付勢する電子機器であれば本発明を適用することができる。
【００５９】
以上、本発明の好ましい実施形態について説明したが、本発明はこれらの実施形態に限定されず、その要旨の範囲内で種々の変形および変更が可能である。
【符号の説明】
【００６０】
１  撮像装置本体
４  ズームレバーユニット
１０  操作基板
１２  コイルバネ
４０  ズームレバー
４３  上面ベース部材
４４  ズームレバー固定部材
４５  ブラシ
【図１】
0005979888.tif 000002
【図２】
0005979888.tif 000003
【図３】
0005979888.tif 000004
【図４】
0005979888.tif 000005
【図５】
0005979888.tif 000006
【図６】
0005979888.tif 000007
【図７】
0005979888.tif 000008